(57)【要約】【課題】作業者によるメンテナンス作業時の確認を容易にできる。【解決手段】ＮＡＳ２０は、筐体２１の前面２２に前面ＬＣＤ２３０が備えられるとともに、前面２２に対向する面である背面２３に背面ＬＣＤ２３１が備えられる。前面ＬＣＤ２３０及び背面ＬＣＤ２３１は、同一の稼働状態情報を表示する。具体的には、作業者によって、背面ＬＣＤ２３１に稼働状態情報を表示するための操作が行われた場合に、背面ＬＣＤ２３１は、前面ＬＣＤ２３０に表示される稼働状態情報と同一の稼働状態情報を表示する。【選択図】図１
2011192338.tif 000002
【特許請求の範囲】
【請求項１】
記憶媒体を内蔵する記憶処理装置であって、
筐体と、
前記筐体の対向する２つの面に設けられ、同一の情報を表示可能な第１及び第２の表示部と
を備える記憶処理装置。
【請求項２】
前記記憶処理装置が他の記憶処理装置と積み重ねられて棚に搭載される場合に、
前記第１の表示部は、前記筐体の面のうち、露出する面に設けられ、
前記第２の表示部は、前記筐体の面のうち、前記露出する面に対向する面に設けられる請求項１に記載の記憶処理装置。
【請求項３】
前記第２の表示部は、所定の第１の操作を受け付けた場合に、前記第１の表示部に表示される情報と同一の情報を表示する請求項１又は２に記載の記憶処理装置。
【請求項４】
前記第２の表示部は、前記記憶処理装置において、前記第２の表示部に表示することの設定が行われた場合に、前記第１の表示部に表示される情報と同一の情報を表示する請求項１乃至３の何れかに記載の記憶処理装置。
【請求項５】
動体を検知する検知部を備え、
前記第２の表示部は、前記検知部が前記動体を検知した場合に、前記第１の表示部に表示される情報と同一の情報を表示する請求項１乃至４の何れかに記載の記憶処理装置。
【請求項６】
前記第２の表示部は、前記記憶処理装置に障害が発生した場合に、前記第１の表示部に表示される情報と同一の情報を表示する請求項１乃至５の何れかに記載の記憶処理装置。
【請求項７】
前記第２の表示部は、所定の第２の操作を受け付けた場合に、前記第１の表示部に表示される情報と同一の情報の表示を終了する請求項３乃至６の何れかに記載の記憶処理装置。
【請求項８】
前記第２の表示部は、前記記憶処理装置に障害が発生してから所定時間が経過した場合に、前記第１の表示部に表示される情報と同一の情報の表示を終了する請求項６に記載の記憶処理装置。
【請求項９】
前記第２の表示部は、前記記憶処理装置に生じた障害が復旧した場合に、前記第１の表示部に表示される情報と同一の情報の表示を終了する請求項６に記載の記憶処理装置。
【発明の詳細な説明】
【技術分野】
【０００１】
本発明は、リムーバブルディスク等の記憶媒体を内蔵する記憶処理装置に関する。
【背景技術】
【０００２】
近年、ＮＡＳ（Ｎｅｔｗｏｒｋ  Ａｔｔａｃｈｅｄ  Ｓｔｏｒａｇｅ）と称される記憶処理装置が普及しつつある。ＮＡＳは、複数のハードディスクドライブを内蔵し、当該ハードディスクドライブに映像や音声等の様々なコンテンツデータを記憶させることができる（例えば、非特許文献１参照）。
【先行技術文献】
【非特許文献】
【０００３】
【非特許文献１】“管理者・ＲＡＩＤ機能搭載ＮＡＳ”、［online］、［平成２２年３月８日検索］、インターネット〈URL：http://buffalo.jp/products/catalog/storage/hd_lan_business.html〉
【発明の概要】
【発明が解決しようとする課題】
【０００４】
上述したＮＡＳにおいて、リムーバブルハードディスクドライブが使用されるものがある。このようなＮＡＳでは、リムーバブルハードディスクの交換や、通信回線の接続等のメンテナンス作業が行われる場合、作業者は、ＮＡＳの背面側に移動して作業を行う。しかし、ＮＡＳには前面側にのみ、ＮＡＳの稼働状態を表示するＬＣＤ（Liquid Crystal Display）が備えられているため、背面側でメンテナンス作業を行っている作業者は、ＮＡＳの稼働状態を確認することが困難であるという問題があった。
【０００５】
上記問題点に鑑み、本発明は、作業者によるメンテナンス作業時の確認を容易にした記憶処理装置を提供することを目的とする。
【課題を解決するための手段】
【０００６】
上述した課題を解決するために、本発明は以下のような特徴を有している。
【０００７】
本発明の特徴は、記憶媒体（リムーバブルハードディスク２５１、２５２）を内蔵する記憶処理装置（ＮＡＳ２０）であって、筐体（筐体２１）と、前記筐体の対向する２つの面（前面２２、背面２３）に設けられ、同一の情報を表示可能な第１及び第２の表示部（前面ＬＣＤ２３０、背面ＬＣＤ２３１）とを備えることを要旨とする。
【０００８】
このような記憶処理装置は、筐体の対向する２つの面に２つのＬＣＤが設けられ、これら２つのＬＣＤは同一の情報が表示可能である。このため、作業者は、筐体の対向する２つの面の何れの側においても、記憶処理装置の稼働状態を確認できる。
【０００９】
本発明の特徴は、前記記憶処理装置が他の記憶処理装置と積み重ねられて棚に搭載される場合に、前記第１の表示部は、前記筐体の面のうち、露出する面に設けられ、前記第２の表示部は、前記筐体の面のうち、前記露出する面に対向する面に設けられることを要旨とする。
【００１０】
本発明の特徴は、前記第２の表示部は、所定の第１の操作を受け付けた場合に、前記第１の表示部に表示される情報と同一の情報を表示することを要旨とする。
【００１１】
本発明の特徴は、前記第２の表示部は、前記記憶処理装置において、前記第２の表示部に表示することの設定が行われた場合に、前記第１の表示部に表示される情報と同一の情報を表示することを要旨とする。
【００１２】
本発明の特徴は、動体を検知する検知部を備え、前記第２の表示部は、前記検知部が前記動体を検知した場合に、前記第１の表示部に表示される情報と同一の情報を表示することを要旨とする。
【００１３】
本発明の特徴は、前記第２の表示部は、前記記憶処理装置に障害が発生した場合に、前記第１の表示部に表示される情報と同一の情報を表示することを要旨とする。
【００１４】
本発明の特徴は、前記第２の表示部は、所定の第２の操作を受け付けた場合に、前記第１の表示部に表示される情報と同一の情報の表示を終了することを要旨とする。
【００１５】
本発明の特徴は、前記第２の表示部は、前記記憶処理装置に障害が発生してから所定時間が経過した場合に、前記第１の表示部に表示される情報と同一の情報の表示を終了することを要旨とする。
【００１６】
本発明の特徴は、前記第２の表示部は、前記記憶処理装置に生じた障害が復旧した場合に、前記第１の表示部に表示される情報と同一の情報の表示を終了することを要旨とする。
【発明の効果】
【００１７】
本発明によれば、作業者によるメンテナンス作業時の確認を容易にできる。
【図面の簡単な説明】
【００１８】
【図１】本発明の実施形態に係るＮＡＳの第１の外観構成図である。
【図２】本発明の実施形態に係るＮＡＳの第２の外観構成図である。
【図３】本発明の実施形態に係るＮＡＳがラックに搭載された状態を示す外観構成図である。
【図４】本発明の実施形態に係るＮＡＳの全体概略構成図である。
【図５】本発明の実施形態に係るＮＡＳにおける動作を示すフローチャートである。
【発明を実施するための形態】
【００１９】
次に、図面を参照して、本発明の実施形態を説明する。具体的には、（１）ＮＡＳの構成、（２）ＮＡＳの動作、（３）作用・効果、（４）その他の実施形態について説明する。以下の実施形態における図面の記載において、同一又は類似の部分には同一又は類似の符号を付している。
【００２０】
（１）ＮＡＳの構成
図１及び図２は、本発明の実施形態に係るＮＡＳ２０の外観構成図である。図１は、ＮＡＳ２０を前面側から見た外観構成図であり、図２は、ＮＡＳ２０を背面側から見た外観構成図である。
【００２１】
図１及び図２に示すように、ＮＡＳ（Ｎｅｔｗｏｒｋ  Ａｔｔａｃｈｅｄ  Ｓｔｏｒａｇｅ）２０は、筐体２１と、筐体２１の前面２２に備えられる表示部である前面ＬＣＤ２３０と、筐体２１の背面２３に備えられるコネクタ等の通信部２１０と、筐体２１の背面２３に備えられる表示部である背面ＬＣＤ２３１とを有する。前面２２と背面２３は、互いに対向する２つの面である。
【００２２】
複数のＮＡＳ２０は、ラック（棚）に搭載された状態で使用される。図３は、ラック５０に複数のＮＡＳ２０が搭載された状態を示す外観構成図である。複数のＮＡＳ２０は、積み重ねられた状態でラック５０に搭載され、前面２２が露出した状態になる。
【００２３】
図４は、ＮＡＳ２０の全体概略構成図である。図４に示すように、ＮＡＳ２０は、制御部２００と、通信部２１０と、記憶部２２０と、操作部２２２と、動体センサ２２４と、前面ＬＣＤ２３０と、背面ＬＣＤ２３１と、記憶装置接続部２４１及び２４２と、リムーバブルハードディスク２５１及び２５２を含む。
【００２４】
制御部２００は、例えばＣＰＵによって構成され、ＮＡＳ２０が具備する各種機能を制御する。
【００２５】
通信部２１０は、外部との通信を行う通信インタフェースであり、例えば、図示しないＤＭＰ対応テレビ受像機との間で、ネットワークを介した通信を行う。
【００２６】
記憶部２２０は、例えば、ＮＡＮＤフラッシュメモリによって構成され、ＮＡＳ２０における制御などに用いられる各種情報を記憶する。操作部２２２は、例えば、タッチパネルやスイッチであり、作業者によって操作される。動体センサ２２４は、筐体２１の背面２３の側に設けられ、当該背面２３の側の動体を検出する。
【００２７】
前面ＬＣＤ２３０及び背面ＬＣＤ２３１は、ＮＡＳ２０の稼働状態を示す情報（稼働状態情報）を表示可能である。
【００２８】
記憶装置接続部２４１は、リムーバブルハードディスク２５１を接続する。記憶装置接続部２４２は、リムーバブルハードディスク２５２を接続する。リムーバブルハードディスク２５１及び２５２は、映像や音声等のコンテンツデータを記憶する。
【００２９】
制御部２００は、背面表示判定部２０１及び表示制御部２０２を有する。
【００３０】
背面表示判定部２０１は、背面ＬＣＤ２３１に稼働状態情報を表示する条件を満たすか否かを判定する。
【００３１】
具体的には、以下の第１乃至第４の判定手法の何れかが採用される。第１の判定手法では、背面表示判定部２０１は、作業者によって操作部２２２に対し、背面ＬＣＤ２３１に稼働状態情報を表示するための操作が行われたか否かを判定する。
【００３２】
背面ＬＣＤ２３１に稼働状態情報を表示するための操作が行われた場合、背面表示判定部２０１は、背面ＬＣＤ２３１に稼働状態情報を表示する条件を満たすと判断する。
【００３３】
第２の判定手法では、背面表示判定部２０１は、制御部２００によって、背面ＬＣＤ２３１に稼働状態情報を表示することの設定が行われているか否かを判定する。ここで、制御部２００は、外部のパーソナルコンピュータや携帯端末から通信部２１０を介して入力される情報に基づいて、背面ＬＣＤ２３１に稼働状態情報を表示することを設定できる。なお、外部のパーソナルコンピュータや携帯端末は、ウェブ上で設定のための情報をＮＡＳ２０へ送信する処理を行うことができる。あるいは、制御部２００は、所定のアプリケーションを実行することにより、背面ＬＣＤ２３１に稼働状態情報を表示することを設定できる。
【００３４】
制御部２００によって、背面ＬＣＤ２３１に稼働状態情報を表示することの設定が行われている場合、背面表示判定部２０１は、背面ＬＣＤ２３１に稼働状態情報を表示する条件を満たすと判断する。
【００３５】
第３の判定手法では、背面表示判定部２０１は、動体センサ２２４によって動体が検出されたか否かを判定する。動体センサ２２４によって動体が検出された場合には、作業者が筐体２１の背面２３の側に存在すると見なし得る。このため、動体センサ２２４によって動体が検出された場合、背面表示判定部２０１は、背面ＬＣＤ２３１に稼働状態情報を表示する条件を満たすと判断する。
【００３６】
第４の判定手法では、背面表示判定部２０１は、ＮＡＳ２０に障害が発生したか否かを判定する。ＮＡＳ２０に障害が発生した場合、背面表示判定部２０１は、背面ＬＣＤ２３１に稼働状態情報を表示する条件を満たすと判断する。
【００３７】
上述した第１乃至第４の判定手法の何れかにおいて、背面表示判定部２０１が、背面ＬＣＤ２３１に稼働状態情報を表示する条件を満たすと判断した場合、表示制御部２０２は、稼働状態情報を、前面ＬＣＤ２３０と背面ＬＣＤ２３１の双方に表示させる制御を行う。前面ＬＣＤ２３０と背面ＬＣＤ２３１とは、表示制御部２０２の制御によって、同一の稼働状態情報（例えば、文字、図、画像等）を表示する。
【００３８】
前面ＬＣＤ２３０と背面ＬＣＤ２３１の双方に、同一の稼働状態情報が表示された後、背面表示判定部２０１は、背面ＬＣＤ２３１における稼働状態情報の表示を解除する条件を満たすか否かを判定する。
【００３９】
具体的には、以下の第５乃至第７の判定手法の何れかが採用される。第５の判定手法では、背面表示判定部２０１は、作業者によって操作部２２２に対し、背面ＬＣＤ２３１における稼働状態情報の表示を解除するための操作が行われたか否かを判定する。
【００４０】
背面ＬＣＤ２３１における稼働状態情報の表示を解除するための操作が行われた場合、背面表示判定部２０１は、背面ＬＣＤ２３１における稼働状態情報の表示を解除する条件を満たすと判断する。
【００４１】
第６及び第７の判定手法は、上述した第４の判定手法が採用された場合に、採用される。第６の判定手法では、背面表示判定部２０１は、ＮＡＳ２０に障害が発生したと判断されてから所定時間が経過したか否かを判定する。ＮＡＳ２０に障害が発生したと判断されてから所定時間が経過した場合、背面表示判定部２０１は、背面ＬＣＤ２３１における稼働状態情報の表示を解除する条件を満たすと判断する。
【００４２】
第７の判定手法では、背面表示判定部２０１は、ＮＡＳ２０の障害が復旧したか否かを判定する。ＮＡＳ２０の障害が復旧した場合、背面表示判定部２０１は、背面ＬＣＤ２３１における稼働状態情報の表示を解除する条件を満たすと判断する。
【００４３】
上述した第５乃至第７の判定手法の何れかにおいて、背面表示判定部２０１が、背面ＬＣＤ２３１における稼働状態情報の表示を解除する条件を満たすと判断した場合、表示制御部２０２は、稼働状態情報を、前面ＬＣＤ２３０のみに表示させる制御を行う。前面ＬＣＤ２３０は、表示制御部２０２の制御によって、稼働状態情報を表示する。一方、背面ＬＣＤ２３１は、表示制御部２０２の制御によって、前面ＬＣＤ２３０に表示される稼働状態情報と同一の稼働状態情報の表示を終了する。
【００４４】
（２）ＮＡＳの動作
次に、ＮＡＳ２０の動作を説明する。図５は、ＮＡＳ２０の動作を示すフローチャートである。
【００４５】
ステップＳ１０１において、制御部２００内の背面表示判定部２０１は、背面ＬＣＤ２３１に稼働状態情報を表示する条件を満たすか否かを判定する。
【００４６】
背面ＬＣＤ２３１に稼働状態情報を表示する条件を満たす場合、ステップＳ１０２において、制御部２００内の表示制御部２０２は、同一の稼働状態情報を、前面ＬＣＤ２３０と背面ＬＣＤ２３１の双方に表示させる制御を行う。前面ＬＣＤ２３０と背面ＬＣＤ２３１とは、表示制御部２０２の制御によって、同一の稼働状態情報を表示する。
【００４７】
前面ＬＣＤ２３０と背面ＬＣＤ２３１の双方に、同一の稼働状態情報が表示された後、ステップＳ１０３において、背面表示判定部２０１は、背面ＬＣＤ２３１における稼働状態情報の表示を解除する条件を満たすか否かを判定する。
【００４８】
背面ＬＣＤ２３１における稼働状態情報の表示を解除する条件を満たす場合、ステップＳ１０４において、表示制御部２０２は、稼働状態情報を、前面ＬＣＤ２３０のみに表示させ、背面ＬＣＤ２３１における表示を解除する制御を行う。前面ＬＣＤ２３０は、表示制御部２０２の制御によって、稼働状態情報を表示する。一方、背面ＬＣＤ２３１は、表示制御部２０２の制御によって、稼働状態情報の表示を終了する（非表示）。
【００４９】
（３）作用・効果
本発明の実施形態において、ＮＡＳ２０は、筐体２１の前面２２に前面ＬＣＤ２３０が備えられるとともに、前面２２に対向する面である背面２３に背面ＬＣＤ２３１が備えられる。前面ＬＣＤ２３０及び背面ＬＣＤ２３１は、同一の稼働状態情報を表示する。このため、作業者は、背面２３の側で、リムーバブルハードディスクの交換や、通信回線の接続等のメンテナンス作業を行う場合においても、ＮＡＳ２０の稼働状態を容易に確認できる。
【００５０】
具体的には、作業者によって、背面ＬＣＤ２３１に稼働状態情報を表示するための操作が行われた場合に、背面ＬＣＤ２３１は、前面ＬＣＤ２３０に表示される稼働状態情報と同一の稼働状態情報を表示する。このため、作業者の意思に応じて、背面ＬＣＤ２３１に稼働状態情報を表示させることができる。
【００５１】
制御部２００によって、背面ＬＣＤ２３１に稼働状態情報を表示することの設定が行われている場合に、背面ＬＣＤ２３１は、前面ＬＣＤ２３０に表示される稼働状態情報と同一の稼働状態情報を表示する。このため、ＮＡＳ２０における設定状態に応じて、背面ＬＣＤ２３１に稼働状態情報を表示させることができる。
【００５２】
動体センサ２２４によって動体が検出された場合には、作業者が筐体２１の背面２３の側に存在すると見なし得ることに鑑み、背面ＬＣＤ２３１は、前面ＬＣＤ２３０に表示される稼働状態情報と同一の稼働状態情報を表示する。このため、作業者の位置に応じて、背面ＬＣＤ２３１に稼働状態情報を表示させることができる。
【００５３】
作業者は、障害時の稼働状態のみを確認したい場合も多いことに鑑み、ＮＡＳ２０に障害が発生した場合に、背面ＬＣＤ２３１は、前面ＬＣＤ２３０に表示される稼働状態情報と同一の稼働状態情報を表示する。このため、作業者の意思に応じて、背面ＬＣＤ２３１に稼働状態情報を表示させることができる。
【００５４】
一方、作業者によって、背面ＬＣＤ２３１対する稼働状態情報の表示を解除するための操作が行われた場合に、背面ＬＣＤ２３１は、稼働状態情報の表示を終了する。このため、作業者の意思に応じて、背面ＬＣＤ２３１を非表示にすることができる。
【００５５】
作業者は、障害時の稼働状態を一度確認できればよいことも多いことに鑑み、ＮＡＳ２０に障害が発生してから所定時間が経過した場合には、背面ＬＣＤ２３１は、稼働状態情報の表示を終了する。このため、作業者の意思に応じて、背面ＬＣＤ２３１を非表示にすることができる。
【００５６】
作業者は、障害時の稼働状態のみを確認したい場合も多いことに鑑み、ＮＡＳ２０の障害が復旧した場合には、背面ＬＣＤ２３１は、稼働状態情報の表示を終了する。このため、作業者の意思に応じて、背面ＬＣＤ２３１を非表示にすることができる。
【００５７】
また、背面ＬＣＤ２３１に稼働状態情報を表示する条件を満たす場合にのみ、背面ＬＣＤ２３１が、前面ＬＣＤ２３０と同一の稼働状態情報を表示し、背面ＬＣＤ２３１に稼働状態情報を表示する条件を満たさない場合や、背面ＬＣＤ２３１における稼働状態情報の表示を解除する条件を満たす場合には、背面ＬＣＤ２３１は、稼働状態情報を表示しない。このため、必要に応じて、背面ＬＣＤ２３１に稼働状態情報を表示させることができ、ＮＡＳ２０の消費電力を抑制できる。
【００５８】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００５９】
上述した実施形態では、背面ＬＣＤ２３１に稼働状態情報が表示される場合について説明したが、表示される情報は、これに限定されず、背面ＬＣＤ２３１は、前面ＬＣＤ２３０に表示される情報と同一の情報を表示すればよい。
【００６０】
上述した実施形態では、ＮＡＳ２０には、リムーバブルハードディスク２５１及び２５２が内蔵されたが、内蔵される記憶媒体はこれに限定されない。例えば、ＳＳＤ（Solid State Drive）、フラッシュメモリ、ＳＤカード等の記憶媒体が接続されてもよい。
【００６１】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００６２】
２０…ＮＡＳ、２１…筐体、２２…前面、２３…背面、５０…ラック、２００…制御部、２０１…背面表示判定部、２０２…表示制御部、２１０…通信部、２２０…記憶部、２２２…操作部、２２４…動体センサ、２３０…前面ＬＣＤ、２３１…背面ＬＣＤ、２４１、２４２…記憶装置接続部、２５１、２５２…リムーバブルハードディスク
【図１】
2011192338.tif 000003
【図２】
2011192338.tif 000004
【図３】
2011192338.tif 000005
【図４】
2011192338.tif 000006
【図５】
2011192338.tif 000007